(57)【要約】【課題】携帯性および操作性を向上させた口腔洗浄装置を提供する。【解決手段】口腔洗浄装置Ｗは、外部から供給される水を吸い上げて加圧するポンプＰ１と、該ポンプを駆動するモータＭとが一つの筐体１０に収容されて構成される本体ユニット１と、本体ユニットのポンプに接続されて、外部から供給される水を該ポンプまで流通させる給水チューブ６００と、本体ユニットのポンプに接続されて、加圧された水を流通させて吐出する吐水チューブ２００と、吐水チューブの一端に接続されて操作者が把持するハンドル部２と、ハンドル部の先端に装着されて、吐水チューブから供給される水を噴射するノズル部３とを備える。【選択図】図１
2017029367.tif 000002
【特許請求の範囲】
【請求項１】
外部から供給される水を吸い上げて加圧するポンプと、該ポンプを駆動するモータとが一つの筐体に収容されて構成される本体ユニットと、
前記本体ユニットの前記ポンプに接続されて、外部から供給される水を該ポンプまで流通させる給水チューブと、
前記本体ユニットの前記ポンプに接続されて、加圧された水を流通させて吐出する吐水チューブと、
前記吐水チューブの一端に接続されて操作者が把持するハンドル部と、
前記ハンドル部の先端に装着されて、前記吐水チューブから供給される水を噴射するノズル部と、
を備えることを特徴とする口腔洗浄装置。
【請求項２】
前記筐体の上面側には、内部が中空の２つの突出部が形成され、
一方の突出部内には、前記モータの少なくとも一部が収容され、
他方の突出部内には、前記ポンプの少なくとも一部が収容されていることを特徴とする請求項１に記載の口腔洗浄装置。
【請求項３】
前記一方の突出部は円筒状に形成され、前記吐水チューブは該突出部の外周に巻回して収納されていることを特徴とする請求項２に記載の口腔洗浄装置。
【請求項４】
前記一方の突出部の上面側が底面側より小径となるように形成されていることを特徴とする請求項３に記載の口腔洗浄装置。
【請求項５】
前記本体ユニットおよび前記ハンドル部は、前記ハンドル部を前記本体ユニットに着脱自在に保持する保持部を備えることを特徴とする請求項１から請求項４の何れか１項に記載の口腔洗浄装置。
【請求項６】
前記保持部は、前記本体ユニットに設けられる係止具と、前記ハンドル部に設けられて前記係止具と係合する係合部とから構成されていることを特徴とする請求項５に記載の口腔洗浄装置。
【請求項７】
前記係合部は、前記ハンドル部の長手方向の中央部に設けられていることを特徴とする請求項６に記載の口腔洗浄装置。
【請求項８】
前記ハンドル部の長手方向長さと、前記本体ユニットの長手方向長さとは、略同じ長さとなるように構成されていることを特徴とする請求項１から請求項７の何れか１項に記載の口腔洗浄装置。
【発明の詳細な説明】
【技術分野】
【０００１】
本実施の形態は、口腔洗浄装置に関する。
【背景技術】
【０００２】
従来から、ノズルから噴射した水流により、歯ブラシ等では除去しにくい食べかすの除去や歯茎部等のマッサージなどを行う口腔洗浄装置が知られている。
【０００３】
この種の口腔洗浄装置としては、把持部（ハンドル部）を兼ねる筐体に、水や洗浄液を貯留するタンク、水や洗浄液を吸い上げて加圧するポンプ、ポンプの駆動源としてのモータおよびモータの電源としての充電池等を収容し、筐体に取付けたノズルから水等を口腔内に向けて噴射するものが種々提案されている。
【先行技術文献】
【特許文献】
【０００４】
【特許文献１】特許第４１２０６２１号公報
【発明の概要】
【発明が解決しようとする課題】
【０００５】
ところで、口腔洗浄装置は、日常的に歯ブラシによる歯磨き後に用いることが多く、オフィスや旅行先などの出先にも携帯して手軽に使用したいという要望がある。
【０００６】
しかしながら、従来における口腔洗浄装置は、上述のように筐体に種々の構成部材を収容しているため容積が比較的大きく、また重量も嵩むため携帯には不向きであった。
【０００７】
また、筐体自体が、使用者が握るハンドル部を兼ねているため握り難く、また重いため洗浄操作を行い難いという不都合もあった。
【０００８】
本実施の形態は、携帯性および操作性を向上させた口腔洗浄装置を提供する。
【課題を解決するための手段】
【０００９】
本実施の形態の一態様によれば、外部から供給される水を吸い上げて加圧するポンプと、該ポンプを駆動するモータとが一つの筐体に収容されて構成される本体ユニットと、本体ユニットのポンプに接続されて、外部から供給される水を該ポンプまで流通させる給水チューブと、本体ユニットのポンプに接続されて、加圧された水を流通させて吐出する吐水チューブと、吐水チューブの一端に接続されて操作者が把持するハンドル部と、ハンドル部の先端に装着されて、吐水チューブから供給される水を噴射するノズル部とを備える口腔洗浄装置が提供される。
【発明の効果】
【００１０】
本実施の形態によれば、携帯性および操作性を向上させた口腔洗浄装置を提供することができる。
【図面の簡単な説明】
【００１１】
【図１】実施の形態に係る口腔洗浄装置の全体構成を示す斜視図。
【図２】実施の形態に係る口腔洗浄装置の全体構成を示す平面図。
【図３】実施の形態に係る口腔洗浄装置の全体構成を示す正面図。
【図４】実施の形態に係る口腔洗浄装置の本体ユニットを示す斜視図。
【図５】実施の形態に係る口腔洗浄装置の本体ユニットを示す平面図。
【図６】実施の形態に係る口腔洗浄装置の本体ユニットを示す底面図。
【図７】実施の形態に係る口腔洗浄装置の本体ユニットの内部構成を示す斜視図。
【図８】実施の形態に係る口腔洗浄装置の本体ユニットが備えるポンプを示す斜視図。
【図９】実施の形態に係る口腔洗浄装置の本体ユニットが備えるポンプを示す分解斜視図。
【図１０】実施の形態に係る口腔洗浄装置の本体ユニットが備える要部を構成する給水部材を示す平面図。
【図１１】実施の形態に係る口腔洗浄装置のノズルを装着したハンドル部を示す正面図。
【図１２】実施の形態に係る口腔洗浄装置のノズルを装着したハンドル部を示す側面図（ａ）およびＡ−Ａ線断面図（ｂ）。
【図１３】実施の形態に係る口腔洗浄装置のノズルの構成を示す側面図。
【図１４】実施の形態に係る口腔洗浄装置のハンドル部が備えるバルブ調整機構を示す斜視図。
【図１５】実施の形態に係る口腔洗浄装置のハンドル部が備えるバルブ調整機構を示す側面図（ａ）、Ａ−Ａ線断面図（ｂ）、Ｂ−Ｂ線断面図（ｃ）。
【図１６】バルブ調整機構が備える球状の弁体を示す側面図（ａ）およびＡ−Ａ線断面図（ｂ）。
【図１７】実施の形態に係る口腔洗浄装置の本体ユニットが備える吸盤部材を示す斜視図（ａ）および側面図（ｂ）、（ｃ）。
【図１８】実施の形態に係る口腔洗浄装置の使用状態を示す斜視図。
【図１９】実施の形態に係る口腔洗浄装置が備えるホルダ部材を示す斜視図。
【図２０】実施の形態に係る口腔洗浄装置を収容する容器を示す斜視図。
【図２１】バルブアジャスタ部材を備えたポンプの構成を示す一部分解斜視図。
【図２２】ポンプが備えるバルブアジャスタ部材の構成を示す斜視図（ａ）、側面図（ｂ）および底面図（ｃ）。
【図２３】ポンプが備えるカム部材の動作態様を模式的に示す説明図（ａ）〜（ｃ）。
【図２４】比較対象に係るバルブ機構を示す側方断面図。
【発明を実施するための形態】
【００１２】
次に、図面を参照して、実施の形態を説明する。以下の図面の記載において、同一又は類似の部分には同一又は類似の符号を付している。
【００１３】
また、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１４】
［口腔洗浄装置の全体構成］
図１から図３および図１８を参照して、実施の形態に係る口腔洗浄装置Ｗの全体構成について説明する。
【００１５】
ここで、図１は、実施の形態に係る口腔洗浄装置Ｗの全体構成を示す斜視図、図２はその平面図、図３はその正面図である。また、図１８は、実施の形態に係る口腔洗浄装置の使用状態を示す斜視図である。
【００１６】
図１等に示すように、実施の形態に係る口腔洗浄装置Ｗは、外部に置かれたコップ８００（図１８参照）などから供給される水を吸い上げて加圧するポンプＰ１（図７等参照）と、このポンプＰ１を駆動するモータＭとが一つの筐体１０に収容されて構成される本体ユニット１と、本体ユニット１のポンプＰ１に接続されて、外部から供給される水をポンプＰ１まで流通させる樹脂性の給水チューブ６００と、本体ユニット１のポンプＰ１に接続されて、加圧された水を流通させて吐出する吐水チューブ２００と、吐水チューブ２００の一端に接続されて操作者が把持するハンドル部２と、ハンドル部２の先端に装着されて、吐水チューブ２００から供給される水を噴射するノズル部３とから構成されている。
【００１７】
筐体１０は、ＡＢＳ樹脂等の樹脂で成形され、下部筐体１０ａと上部筐体１０ｂとから構成されている。
【００１８】
下部筐体１０ａ内には、後述するように、ポンプＰ１、モータＭ、歯車伝達機構Ｇ等が収容されている。
【００１９】
また、下部筐体１０ａの底面側には、保持部１００によって保持されるゴム等で形成される脚部１０１および本体ユニット１を洗面台等に固定する吸盤部材４が設けられている。
【００２０】
なお、吸盤部材４は、図３等に示すように、図上、下部筐体１０ａの左右に配置されている。また、吸盤部材４は、下部筐体１０ａの底面側に形成される嵌合溝１０２に沿って嵌合されて保持されるようになっている。吸盤部材４等の詳細な構成については後述する。
【００２１】
下部筐体１０ａの一側面（図３では、右側側面）には、図示しない電源装置（例えば、ＡＣ−ＤＣ変換装置）の端子を装着するコネクタ部Ｃが設けられている。
【００２２】
上部筐体１０ｂの上面側には、内部が中空の２つの突出部１１，１２が形成されている。
【００２３】
そして、一方の突出部１１内には、モータＭの少なくとも一部が収容され、他方の突出部１２内には、ポンプＰ１の少なくとも一部が収容されている。
【００２４】
また、一方の突出部１１は円筒状に形成され、吐水チューブ２００が、この突出部１１の外周に巻回されて収納されている。これにより、吐水チューブ２００をコンパクトに収納することができ、口腔洗浄装置Ｗ全体の容積を小さくするのに貢献できる。
【００２５】
なお、突出部１１の上面側が底面側より小径となるように形成するとよい。これにより、突出部１１の外周に巻回された吐水チューブ２００を伸ばしたり、巻き直したりする作業を行い易くすることができる。
【００２６】
また、２つの突出部１１、１２は、略同じ高さに構成するとよい。これにより、本体ユニット１の重心バランスを向上することができ、本体ユニット１を倒れ難くすることができる。
【００２７】
また、図１等に示すように、突出部１２の上面側には、後述する第１の制御機構と連結されて水の吐出量を調整する調整部材（調整ダイヤル）１３が回動自在に設けられている。
【００２８】
図２および図３に示すように、突出部１２の一側面には、ハンドル部２を着脱自在に保持する保持部としての係止具２２が設けられている。なお、係止具２２の詳細な構成については、図４を参照して後述する。
【００２９】
また、詳細について後述するが、図２に示すように、ハンドル部２には、係止具２２が係合される係合部２７が設けられている。
【００３０】
このように、ハンドル部２を、保持部によって本体ユニット１側に着脱自在に収納できるので、口腔洗浄装置Ｗ全体の携帯性や利便性を向上させることができる。
【００３１】
さらに、係合部２７は、ハンドル部２の長手方向の中央部に設けられているので、係止具２２に係止した状態における重心のバランスをとることができ、ハンドル部２を安定して保持することができる。
【００３２】
図１等に示すように、上部筐体１０ｂの上面側の中央部には、ポンプＰ１で加圧された水を吐水チューブ２００に供給するように接続される接続部１４が設けられている。なお、接続部１４は、取付部にネジ１６を挿通し、上部筐体１０ｂの上面に螺合させて固定されている。
【００３３】
なお、図１等では、ハンドル部２の先端にノズル部３を装着した状態を示しているが、後述するように、ハンドル部２はノズル部３の着脱機構を備えており、収納時などにはノズル部３をハンドル部２から外すことができるようになっている。
【００３４】
また、詳細な構成は後述するが、ハンドル部２には、ノズル部３からの水の吐出をオン・オフさせたり、吐出量を調節する操作レバー２１が回動可能に設けられている。
【００３５】
このように、ポンプＰ１と、ポンプＰ１を駆動するモータＭとが一つの筐体１０に収容してユニット化して本体ユニット１を構成することにより、ハンドル部２に機構部を設ける必要がなくなり、口腔洗浄装置Ｗをコンパクト化して携帯性を向上させることができる。
【００３６】
また、ハンドル部２は重量が嵩む機構部を有しないので、ハンドル部２の小型化および軽量化を図ることができ、口腔洗浄時における操作性を向上させることができる。
【００３７】
また、ハンドル部２は、本体ユニット１に装着して保持することができる。また、吐水チューブ２００が、突出部１１の外周に巻回されて収納されているので、吐水チューブ２００をコンパクトに収納することができ、口腔洗浄装置Ｗ全体の容積を小さくすることができる。これにより、例えば図２０に示すようなポシェット状の収容具に、口腔洗浄装置Ｗを収容してコンパクトに持ち運ぶことができ、携帯性や利便性を高めることができる。
【００３８】
［本体ユニットの構成例］
次に、図４〜図７を参照して、実施の形態に係る口腔洗浄装置Ｗの本体ユニット１の構成例について説明する。
【００３９】
ここで、図４は、実施の形態に係る口腔洗浄装置Ｗの本体ユニット１を示す斜視図、図５は、その平面図、図６は底面図、図７は本体ユニット１の内部構成を示す斜視図である。
【００４０】
なお、上述の口腔洗浄装置Ｗの全体構成で説明した部位については、同一符号を付して重複した説明は省略する。
【００４１】
図４等に図示されるように、突出部１２の一側面（図４では正面側）に設けられているハンドル部２の保持部としての係止具２２は、取付部２２ｂと、この取付部２２ｂから上方に起立する２つの係止片２２ａとから構成されている。取付部２２ｂは、ネジ１７により突出部１２に固定されている。対向する係止片２２ａの内側には、ハンドル部２側に設けられる係合部２７（図２等参照）と係合されるツメ部が形成されている。なお、各係止片２２ａは弾性変形可能に形成され、ハンドル部２側の係合部２７と着脱自在に係合されるようになっている。
【００４２】
また、突出部１２の一側面（図４では正面側）には、給水チューブ６００の一端部６００ａ（図１８参照）が接続されるソケット部１５が設けられている。
【００４３】
また、図４等に示されるように、吐水チューブ２００と接続される接続部１４の先端には、吐水チューブ２００の端部が嵌合されるプラグ１４ａが設けられている。
【００４４】
図６に示すように、下部筐体１０ａの底面には、脚部１０１を構成するゴム製部材を保持する円形の保持部１００が、下部筐体１０ａの長辺１１０の中央よりやや内側に対向して二箇所に設けられている。
【００４５】
下部筐体１０ａの長手方向の両端部側（図６の左右端部側）には、吸盤部材４が設けられている。なお、各吸盤部材４は、下部筐体１０ａの底面側に形成される嵌合溝１０２に沿って嵌合されて保持されるようになっている。
【００４６】
なお、各吸盤部材４の近傍に符号１５０で示される部位は、上部筐体１０ｂと下部筐体１０ａとを接合するネジ（図示せず）を挿通させるネジ穴である。
【００４７】
図５等に示すように、各吸盤部材４の上面側の舌片４ａを有する縁部は、筐体１０の両端部（図５では左右端部）から露出するように構成されている。これにより、本体ユニット１を吸盤部材４および脚部１０１で、洗面台等に固定した状態で、各吸盤部材４の舌片４ａを容易に引っ張って各吸盤部材４を簡単に外すことができ、利便性を向上させることができる。なお、吸盤部材４の具体例については後述する。
【００４８】
次に、図７を参照して、本体ユニット１の内部構成について説明する。
【００４９】
図７上、下部筐体１０ａの右側には、駆動源としてのモータＭが、モータ支持台５５０の上に回転軸（図示せず）を下側にして固定されている。このモータＭの端子には、コネクタ部Ｃおよび図示しないマイクロスイッチを介して電力が供給されるようになっている。なお、説明の都合上、各部材間を接続するリード線等の部材の図示は省略する。
【００５０】
また、上記マイクロスイッチは、例えば、ポンプＰ１側の回動軸３０７ｂの近傍に設けられ、図１等に示す調整部材（調整ダイヤル）１３の所定の回動位置に合わせてオン・オフされるように構成される。
【００５１】
図７上、下部筐体１０ａの左側には、ポンプＰ１が配置されている。なお、ポンプＰ１の詳細な構成については図９等を参照して後述する。
【００５２】
ポンプＰ１とモータＭとの間には、歯車伝達機構としてのギアカムＧが配設されている。
【００５３】
ギアカムＧは、モータＭの回転軸に設けられるギア（図示せず）と噛み合って従動回転するように構成されている。
【００５４】
なお、ポンプＰ１の上方には、調整ダイヤル１３による操作をスムーズに伝達するためのカバー部材３１０が設けられている。
【００５５】
ポンプＰ１が備える給水プラグ３０６ａは、図３等に示される上部筐体１０ｂ側のソケット部１５を介して外部とアクセスできるようになっている。そして、給水チューブ６００の一端部６００ａ（図１８参照）をソケット部１５から挿入して押し込むことにより、給水チューブ６００の一端部６００ａがポンプＰ１の給水プラグ３０６ａに接続される。これにより、コップ等に貯留された水を給水チューブ６００を介してポンプＰ１に供給することができる。
【００５６】
また、ポンプＰ１の吐出側に接続される送水部４５０は、上部筐体１０ｂ側に設けられる送水部（図示せず）を介して、図４等に示す接続部１４と接続されている。これにより、ポンプＰ１で加圧された水は、送水部４５０等を介して接続部１４に供給される。さらに、加圧された水は、接続部１４のプラグ１４ａを介して接続される吐水チューブ２００を経てハンドル部２およびノズル部３に供給されるようになっている。
【００５７】
［ポンプの構成例］
次に、図８〜図１０および図２１、図２２を参照して、ポンプＰ１の構成例について説明する。
【００５８】
ここで、図８は、実施の形態に係る口腔洗浄装置Ｗの本体ユニット１が備えるポンプＰ１を示す斜視図、図９は、その分解斜視図、図１０は、ポンプＰ１の要部を構成する給水部材を示す平面図である。
【００５９】
図９等に示すように、ポンプＰ１は、シリンダ部材３００、シリンダ部材３００のシリンダ部３００ｂに摺動自在に係合されるプランジャ部材３０２、プランジャ部材３０２とロッドピン３０４を介して揺動可能に接続されるクランク部材（コネクティングロッド）３０３とを備える。
【００６０】
なお、特に限定されないが、シリンダ部材３００、プランジャ部材３０２、クランク部材３０３等はＡＢＳ樹脂等の樹脂で成形される。
【００６１】
クランク部材３０３は、より詳細には、ロッド部３０３ｂの端部に大端部３０３ａと小端部３０３ｃとを有し、小端部３０３ｃとプランジャ部材３０２とがロッドピン３０４を介して接続されている。
【００６２】
また、クランク部材３０３の大端部３０３ａは、前述のように偏心円筒部３５６に回転自在に接続されている。
【００６３】
これにより、モータＭの駆動に伴ってギアカムＧおよび偏心円筒部３５６が回転し、クランク部材３０３を介して回転運動が往復運動に変換される。そして、プランジャ部材３０２がシリンダ部３００ｂ内を往復運動することにより、水の吸引、加圧および排出の各動作が行われる。
【００６４】
なお、図示は省略するが、ポンプＰ１自体あるいはポンプＰ１が接続される流路には、ポンプＰ１から圧送される水流の逆流を防ぐ逆止弁が設けられている。
【００６５】
図９上、シリンダ部材３００には、シリンダ部３００ｂと水平方向に直交して、吐出部３００ｃが一体的に形成されている。
【００６６】
吐出部３００ｃには、図７に示すような送水部材４００等を接続する接続部材（図示せず）が係合されている。
【００６７】
また、図９上、シリンダ部材３００には、シリンダ部３００ｂおよび吐出部３００ｃと垂直方向に直交して、給水部材３０６および水の吐出量を制御する第１の制御機構Ｃ１等が設けられる給水部３００ａが一体的に形成されている。
【００６８】
シリンダ部材３００の給水部３００ａの直上には、Ｏリング３０５を介して給水部材（キャップインレット）３０６が係合されている。
【００６９】
給水部材３０６には、水平方向に突出する給水プラグ３０６ａが一体的に形成されている。
【００７０】
上述したように、給水プラグ３０６ａは、図３等に示される上部筐体１０ｂ側のソケット部１５を介して外部とアクセスされ、給水チューブ６００の一端部６００ａ（図１８参照）をソケット部１５から挿入して押し込むことにより、給水チューブ６００の一端部６００ａがポンプＰ１の給水プラグ３０６ａに接続される。これにより、コップ等に貯留された水を、給水チューブ６００を介してポンプＰ１に供給することができる。
【００７１】
給水部材３０６の上方の開口部には、Ｏリング３０９を介して、第１の制御機構Ｃ１の一部を構成するバルブアジャスタ部材３０７が回動可能に係合されている。
【００７２】
ここで、図１０および図２１〜図２３を参照して、第１の制御機構Ｃ１の構成例および動作態様について説明する。
【００７３】
図２１は、バルブアジャスタ部材３０７を備えたポンプＰ１の構成を示す一部分解斜視図、図２２（ａ）は、ポンプＰ１が備えるバルブアジャスタ部材３０７の構成を示す斜視図、図２２（ｂ）はその側面図、図２２（ｃ）はその底面図である。
【００７４】
また、図２３（ａ）〜（ｃ）は、ポンプＰ１が備えるカム部材３０８の動作態様を模式的に示す説明図である。
【００７５】
本実施の形態に係る口腔洗浄装置Ｗにおいて、水の吐出量を制御する第１の制御機構Ｃ１は、ポンプＰ１内に設けられて、給水チューブ６００を介して供給された水の一部を還流させる還流部を兼ねる給水部材３０６と、一部の水を還流部内（給水部材３０６内）へ流通させる還流孔３７２と、この還流孔３７２の開度を調節するカム状の調節部材３０８とから構成されている。
【００７６】
なお、図１０において、給水部材３０６の中央部には、図示しないニードルバルブの動きに連動して開口されて、供給される水を給水部材３０６内に流通させる流通孔３７１が穿設されている。
【００７７】
本実施の形態において、カム状の調節部材３０８は、バルブアジャスタ部材３０７の下面側に接合部３０８ａ（図２２参照）を介して設けられている。
【００７８】
カム状の調節部材３０８は、給水部材３０６内の還流孔３７２と接触する面積が逓増するカム形状とされている。
【００７９】
また、バルブアジャスタ部材３０７の上部側の外周には、突起部３０７ａが形成され、給水部材３０６の上端側に形成される段差状の係止部３０６ｂ、３０６ｃと突起部３０７ａが当接する位置で回動（回動角度としては約９０度）が規制されるようになっている。
【００８０】
即ち、係止部３０６ｂ、３０６ｃの間でのみバルブアジャスタ部材３０７が回動されるように構成されている。そして、この回動範囲において、還流孔３７２とカム状の調節部材３０８との接触面積が変化することにより、還流孔３７２の開度を調節できるようになっている。
【００８１】
より具体的には、図２３（ａ）〜（ｃ）に示すように還流孔３７２の開度が調節される。
【００８２】
なお、バルブアジャスタ部材３０７は、回動軸３０７ｂを備え、この回動軸３０７ｂは、図１等に示す調整部材（調整ダイヤル）１３に接続されている。即ち、調整ダイヤル１３を回すことにより、バルブアジャスタ部材３０７も連動して回動されるように構成されている。
【００８３】
また、図２３に示す動作態様では、バルブアジャスタ部材３０７を時計方向Ｄ２０に回動させることにより、カム状の調節部材３０８も同方向Ｄ２０に回動され、それに伴って、還流孔３７２の開度が徐々に小さくなる場合を示している。また、当然ながらバルブアジャスタ部材３０７を反時計方向に回動させることにより、還流孔３７２の開度が徐々に大きくなるように調整できる。
【００８４】
図２３（ａ）に示す状態では、カム状の調節部材３０８は、還流孔３７２を全開するように接触している。この状態では、給水プラグ３０６ａを介して外部から供給される水は、給水部材３０６の流通孔３７１および還流孔３７２を通じてシリンダ部材３００の給水部３００ａに供給され、シリンダ部３００ｂまで吸い込まれる。その水をシリンダ部３００ｂから押し出す際には、還流孔３７２からも吐出される。これにより、吐出部３００ｃから吐出される水量が少なくなり、結果的にはハンドル部２のノズル部３から噴射される水量が本装置Ｗでは一番弱い状態に制限される。
【００８５】
図２３（ｂ）に示す状態では、カム状の調節部材３０８は、還流孔３７２の約半分を塞ぐように接触している。この状態では、給水プラグ３０６ａを介して外部から供給される水は、給水部材３０６の流通孔３７１と、還流孔３７２の約半分の開口部を通じてシリンダ部材３００の給水部３００ａに供給され、シリンダ部３００ｂで吸い込まれる。これにより、吸込まれた水を押し出す際には、還流孔３７２から一部吐出されるため、吐出部３００ｃから吐出される水量が少なくなり、結果的にはハンドル部２のノズル部３から噴射される水量が本装置Ｗでは中程度の状態に制限される。
【００８６】
図２３（ｃ）に示す状態では、カム状の調節部材３０８は、還流孔３７２を全部塞ぐように接触している。この状態では、給水プラグ３０６ａを介して外部から供給される水は、給水部材３０６の流通孔３７１を通じてシリンダ部材３００の給水部３００ａに供給されることになり、シリンダ部３００ｂで吸い込まれる水は全て吐出に利用される。これにより、吐出部３００ｃから吐出される水量は最大となり、結果的にはハンドル部２のノズル部３から噴射される水量が本装置Ｗでは最大の状態とされる。
【００８７】
このように、操作者が、図１等に示す調整ダイヤル１３を回すことにより、還流孔３７２の開度が無段階に調整され、これに伴って、ハンドル部２のノズル部３から噴射される水量を好み量に調整することが可能となる。
【００８８】
なお、本実施の形態に係る口腔洗浄装置Ｗでは、後述するようにハンドル部２が、水の吐出量を制御する第２の制御機構Ｃ２を備えており、上述の第１の制御機構Ｃ１と併せてノズル部３から噴射される水量を調整できるようになっている。
【００８９】
また、図８〜図１０および図２１に示すように、本実施の形態に係るポンプＰ１では、給水部材３０６の外周面の縦方向に複数の補強用リブ３０６ｄが設けられている。これにより、給水部材３０６の回り止めに加え、その給水部材３０６の強度を高めて、水圧に対しての耐圧性を向上させることができる。
【００９０】
また、シリンダ部材３００のシリンダ部３００ｂと給水部３００ａとの接合部に、複数の補強用リブ３００ｄが設けられている。これにより、シリンダ部３００ｂの振動に対する強度を高めて、耐久性を向上させることができる。
【００９１】
［ハンドル部の構成例］
図１１および図１２を参照して、実施の形態に係る口腔洗浄装置Ｗの本体ユニット１が備えるハンドル部２の構成例について説明する。
【００９２】
図１１は、実施の形態に係る口腔洗浄装置Ｗのノズル部３を装着したハンドル部２を示す正面図、図１２（ａ）は、ハンドル部２を示す側面図、図１２（ｂ）は、Ａ−Ａ線断面図である。
【００９３】
図１２（ａ）に示すように、ハンドル部２は、ＡＢＳ樹脂等の樹脂で成形される上部筐体２０ａと、下部筐体２０ｂとから構成されている。
【００９４】
上部筐体２０ａおよび下部筐体２０ｂは、中空構造とされ、その中空部の一端側（図１２等において左端側）には、吐水チューブ２００から供給される水の吐出量を制御する第２の制御機構Ｃ２と、ノズル部３の着脱機構Ｅが設けられている。
【００９５】
また、上部筐体２０ａおよび下部筐体２０ｂの他端側（図１２等において右端側）には、口腔洗浄装置Ｗの本体ユニット１から延設される吐水チューブ２００の一端（２００ａ）側を挿通させる挿通部（図示せず）が設けられている。
【００９６】
上部筐体２０ａには、図１１に示すように、操作用突起部２１ａを備えた操作レバー２１が回動可能に設けられており、第２の制御機構Ｃ２を操作するように構成されている。
【００９７】
また、上部筐体２０ａおよび下部筐体２０ｂの一側面には、ノズル部３の着脱機構Ｅの一部を構成する固定ボタン２５が押し込み可能に設けられている。
【００９８】
本実施の形態において、第２の制御機構Ｃ２は、吐水チューブ２００とノズル部３との間に配置されるバルブ調整機構で構成されている。
【００９９】
第２の制御機構Ｃ２を構成するバルブ調整機構の詳細については後述する。
【０１００】
また、下部筐体２０ｂの外面には、上述した本体ユニット１が備える係止具２２（図４等参照）と係合される係合部２７が一体的に設けられている。
【０１０１】
ここで、図１３を参照して、ノズル部３の構成例について説明する。
【０１０２】
ノズル部３は、ＡＢＳ樹脂等の樹脂で成形され、直管状の流通部３ａと、流通部３ａの一端側（図１３上、左端側）に有って所定の角度で曲げられたノズル先端部３ｂと、流通部３ａの他端側（図１３上、右端側）に有って上述の着脱機構Ｅと着脱可能に装着される溝状の装着部３ｃとを備えている。
【０１０３】
なお、流通部３ａの途中には、操作者がノズル先端部３ｂの吐水方向を変えるための調整つまみ３０が設けられている。
【０１０４】
上述のように、ハンドル部２に内蔵される着脱機構Ｅは、図１２（ｂ）に示すように、装着されているノズル部３の溝状の装着部３ｃと係合する摺動可能な係止片４０２と、この係止片を装着部３ｃ側に付勢するバネ４０１と、ハンドル部２側に手動で押圧された際に装着部３ｃと係止片４０２との係合状態を解除する固定ボタン２５とから構成されている。
【０１０５】
そして、ノズル部３をハンドル部２に装着する際には、ハンドル部２の先端側に開口されている装着孔２０ｃからノズル部３の装着部３ｃを挿入して押し込むと、係止片４０２がバネ４０１の付勢力に逆らって一旦後退し、装着部３ｃの溝が到来した位置で係止片４０２が装着部３ｃと係合する。これにより、ノズル部３は抜け落ちない状態でハンドル部２に保持される。
【０１０６】
一方、ノズル部３をハンドル部２から外す際には、固定ボタン２５を指で押しこむと、係止片４０２がバネ４０１の付勢力に逆らって後退し、その状態で調節つまみ３０を掴んで引き抜く操作を行う。これにより、ノズル部３を交換したり、収納したりすることができる。
【０１０７】
なお、ハンドル部２の長手方向長さと、図１等に示す本体ユニット１の長手方向長さとは、略同じ長さとなるように構成するとよい。
【０１０８】
これにより、ノズル部３を外した状態でハンドル部２を本体ユニット１の係止部２７によって保持させた際に、本体ユニット１の長手方向において、ハンドル部２の端部がはみ出すことがないので、ハンドル部２をコンパクトに収納することができる。
【０１０９】
［バルブ調整機構の構成例］
次に、図１４〜図１６を参照して、ハンドル部２が備える第２の制御機構Ｃ２としてのバルブ調整機構の構成例について説明する。
【０１１０】
図１４は、本実施の形態に係る口腔洗浄装置Ｗのハンドル部２が備えるバルブ調整機構Ｃ２を示す斜視図、図１５（ａ）は、その側面図、図１５（ｂ）は、Ａ−Ａ線断面図、図１５（ｃ）は、Ｂ−Ｂ線断面図である。
【０１１１】
また、図１６（ａ）は、バルブ調整機構Ｃ２が備える球状の弁体５０２を示す側面図、図１６（ｂ）はＡ−Ａ線断面図である。
【０１１２】
本実施の形態では、図１４〜図１６に示すように、バルブ調整機構（第２の制御機構Ｃ２）として、ボールバルブＢが用いられている。
【０１１３】
図１４等に示すように、ボールバルブＢは、球状の弁体５０２と、この弁体５０２を収容すると共に水を流通させる流路を構成する筒状の収容部５００と、収容部５００の一端側に設けられて吐水チューブ２００を接続するプラグ部５０１とを備えている。
【０１１４】
図１６に示すように、球状の弁体５０２には水の流通部５０２ａが形成されている。  また、流通部５０２ａと直交するように回転軸１４ｂ（図１５参照）を挿通して固定する挿通孔５０２ｂが形成されている。
【０１１５】
そして、図１５に示すように、回転軸１４ｂは、前述のハンドル部２の操作レバー２１に接続されている。
【０１１６】
なお、回転軸１４ｂの下端部は、収容部５００に形成されている軸受部５０４により回転自在に軸支されている。
【０１１７】
また、回転軸１４ｂの上端部は、Ｏリング５０３によりシーリングされている。
【０１１８】
上記構成のボールバルブＢを備えるバルブ調整機構Ｃ２による水の吐出量の調整操作は、図１１に示すように、操作レバー２１を操作者の指によってＤ１方向に回動させることによって行われる。
【０１１９】
そして、操作レバー２１の操作により、図１５（ｂ）、（ｃ）に示すように、球状の弁体５０２の流通部５０２ａが、収容部５００の流路と直交する向きで停止された場合には、吐水チューブ２００から供給される水の流通が完全に阻止された状態となる。したがって、この状態では、ノズル部３からの水の吐出量はゼロとなる。
【０１２０】
なお、この状態において、口腔洗浄装置Ｗの本体ユニット１のモータＭは駆動を継続し、ポンプＰ１も水を圧送し続けているため、吐水チューブ２００内の圧力は、約０．６〜１．０Ｍパスカル程度まで高まる。そのため、吐水チューブ２００は、このような高圧に耐えうるように、低密度ポリエチレン等の比較的強度が高い素材で構成される。
【０１２１】
一方、操作レバー２１の操作により、球状の弁体５０２の流通部５０２ａが、収容部５００の流路と同じ向きで停止された場合（例えば、操作レバー２１を時計方向に９０度回動させた場合）には、吐水チューブ２００から供給される水の流通が１００％許容された状態となる。したがって、この状態では、ノズル部３からの水の吐出量は最大量となる。
【０１２２】
なお、操作レバー２１の操作により、球状の弁体５０２の流通部５０２ａと収容部５００の流路との向きを適宜調整することにより、所望の吐出量に調整することも可能である。
【０１２３】
この場合に、操作レバー２１の回動量を無段階あるいは複数段階に調整することができるように構成できる。
【０１２４】
また、上記構成のボールバルブＢに代えて、バタフライバルブ等を用いるようにしてもよい。
【０１２５】
［比較対象に係るバルブ機構の構成例］
ここで、図２４を参照して、比較対象に係るバルブ機構９００の構成について簡単に説明する。
【０１２６】
バルブ９００は、操作部としてのスライダ９１０と、吸込チューブ９２０から供給される水を貯留する貯留部９０１と、スライダ９１０と貯留部９０１の吐出側との間に介在され図上、左右方向に進退可能な弁体９０２と、弁体９０２をスライダ９１０に付勢するバネ９０５とから構成されている。
【０１２７】
なお、弁体９０２と貯留部９０１の吐出側の間にはシール部材としてのＯリング９０３，９０６が設けられている。
【０１２８】
また、スライダ９１０の貯留部９０１側の面にはテーパ９１０ａが形成され、弁体９０２の端部９０２ａと摺接するように構成されている。
【０１２９】
このような構成のバルブ機構９００では、スライダ９１０をＤ１０方向またはＤ１１方向に操作することにより、弁体９０２が図上、左右方向（Ｄ１２、Ｄ１３方向）に進退されて、貯留部９０１から吐出部９２１側への水の流量が調節される。
【０１３０】
ところが、本実施の形態に係る口腔洗浄装置Ｗにおいて、比較対象に係るバルブ機構９００を用いる場合を想定すると、貯留部９０１内の水の圧力が高まった場合に、弁体９０２の移動が困難になるという不都合がある。
【０１３１】
即ち、上述のようにバルブ機構９００により吐出部９２１側への水の流通が阻止された状態において、口腔洗浄装置Ｗの本体ユニット１のモータＭは駆動を継続し、ポンプＰ１も水を圧送し続けるため、貯留部９０１内の水圧は、例えば約０．６〜１．０ＭＰａ程度まで高まる。
【０１３２】
この場合において、スライダ９１０をＤ１１方向に操作して弁体９０２をＤ１２方向に移動させようとしても、Ｄ１３方向に水圧が強いため、スライダ９１０を相当強い力で操作しない限り水を流通させることができないという問題がある。
【０１３３】
これに対して、本実施の形態に係る口腔洗浄装置Ｗで採用した上述のボールバルブＢが有する特性から、水圧が高い状態であっても操作レバー２１の回動操作により、比較的軽い力で球状の弁体５０２を回動させて、水量を容易に調整することができる。
【０１３４】
［吸盤部材の構成例］
図１７を参照して、本実施の形態に係る口腔洗浄装置Ｗが備える吸盤部材４の構成例について説明する。
【０１３５】
図１７（ａ）は、本実施の形態に係る口腔洗浄装置Ｗの本体ユニット１が備える吸盤部材４を示す斜視図、図１７（ｂ）は、その側面図、図１７（ｃ）は他の構成例を示す側面図である。
【０１３６】
まず、本実施の形態に係る口腔洗浄装置Ｗは、洗浄用の水を補給する必要があり、また口腔洗浄時に水が飛び散る虞があるため、洗面台などで使用することが多い。ここで、洗面台は陶器等で形成されることが多く、口腔洗浄装置Ｗの本体ユニット１を載置した際に滑り易いという不都合がある。
【０１３７】
そこで、口腔洗浄装置の本体ユニット１の底面に吸盤部材を設け、この吸盤部材で洗面台の表面に吸着させて本体ユニット１を固定しようという方法が考えられる。
【０１３８】
しかしながら、口腔洗浄を終了した後、口腔洗浄装置Ｗの本体ユニット１を洗面台から外す際に、吸盤部材が本体ユニット１の底面に位置する場合には、手が届かず、容易に外すことができないという問題があった。
【０１３９】
特に、口腔洗浄装置Ｗを旅行先やオフィスなどに携帯して使用する場合には、洗面台に対して本体ユニット１を頻繁に着脱する必要があり、吸盤部材による本体ユニットの着脱を簡便且つ容易に行いたいという要望が強い。
【０１４０】
このような要望を満たすべく、図１７（ａ）〜（ｃ）に示すような吸盤部材４を用いた構成を案出した。
【０１４１】
吸盤部材４は、全体が樹脂で成形され、面に対して吸着力を発揮する吸盤本体４Ａと、吸盤本体４Ａの表面側の一縁部に設けられる舌片４ａと、吸盤本体４Ａの中央から起立する軸部４ｃと、軸部４ｃの上方に形成され軸部４ｃより大径に形成される突起部４ｂとを備える。
【０１４２】
突起部４ｂは、平面視でＤ字型を呈するＤ面カットが施されている。これにより、図１等に示されるように、下部筐体１０ａの底面側に形成される嵌合溝１０２に沿って吸盤部材４の突起部４ｂを嵌合した状態において、吸盤部材４自体が回転して向きが変わることを阻止することができる。なお、ここではＤ面カットは突起部４ｂに設けた例で説明したが、軸部４ｃに設けてもよい。
【０１４３】
したがって、図５等に示すように、吸盤部材４の上面側の舌片４ａを有する縁部が、筐体１０の両端部（図５では左右端部）から露出する位置で吸盤部材４を嵌合溝１０２に取付けた場合に、吸盤部材４自体が回転して舌片４ａが下部筐体１０ａの底面側に隠れてしまう事態を回避することができる。
【０１４４】
これにより、本体ユニット１を吸盤部材４および脚部１０１で、洗面台等に固定した状態で、吸盤部材４の舌片４ａを容易に引っ張って吸盤部材４を簡単に外すことができる。
【０１４５】
また、図１７（ｃ）に示す構成例では、舌片４ａが、縁部に沿って複数個にわたって設けられている。
【０１４６】
これにより、吸盤部材４を嵌合溝１０２に取付けた際に、取付けの向きによらず、何れかの舌片４ａが筐体１０の端部から露出するようにでき、取付け工程を簡易化することができる。
【０１４７】
また、万一、吸盤部材４自体が回転した場合であっても、何れかの舌片４ａが筐体１０の端部から露出するので、吸盤部材４を簡単に外すことができる。
【０１４８】
なお、本例では２つの吸盤部材を用いる例で説明したが、吸盤部材はこれらに限らず、シートの両面に小さな複数の吸盤を有するシート状タイプを用いることもできる。
【０１４９】
［口腔洗浄装置の使用例］
図１８を参照して、本実施の形態に係る口腔洗浄装置Ｗの使用例について説明する。
【０１５０】
本実施の形態に係る口腔洗浄装置Ｗを使用する際には、まず、本体ユニット１を洗面台等に吸盤部材４および脚部１０１によって固定する。
【０１５１】
次いで、図示しない電源アダプタの端子をコネクタ部Ｃ（図７等参照）に接続する。
【０１５２】
そして、図１８に示すように、給水チューブ６００の一端６００ａを本体ユニット１のソケット部１５に接続する。
【０１５３】
次いで、給水チューブ６００の他端６００ｂ側に後述するホルダ部材７００を取付け、このホルダ部材７００を、水ＷＡを入れたコップ８００の縁８００ａに引っ掛けて保持する。
【０１５４】
この状態から本体ユニット１の調整部材（調整ダイヤル）１３を回動させて、モータＭをオンする。これにより、ポンプＰ１が駆動され、給水チューブ６００を介してコップ８００内の水ＷＡの吸い上げが開始される。
【０１５５】
そして、吸い上げられた水ＷＡは、ポンプＰ１で加圧され、吐水チューブ２００を介してハンドル部２へ供給される。
【０１５６】
なお、この際に、ハンドル部２の吐出量を調節する操作レバー２１は、水の吐出を停止する位置としておく。
【０１５７】
次いで、ハンドル部２を手に持って本体ユニット１から外し、ノズル部３のノズル先端部３ｂが口腔内の適切な位置を向くように保持する。
【０１５８】
そして、操作レバー２１を操作して、所望の吐出量で水を口腔内に噴射させて、洗浄操作を行う。
【０１５９】
なお、上述のように、吐出量の調整は、操作レバー２１の操作の他に、本体ユニット１の調整ダイヤル１３の回動量によっても行うことができる。
【０１６０】
［ホルダ部材の構成例］
図１９を参照して、ホルダ部材７００の構成例について説明する。
【０１６１】
ホルダ部材７００は、ＡＢＳ樹脂等の樹脂で成形され、滑り止め用の凹凸部が複数形成され垂直方向に延設される本体部７０２と、本体部７０２の略中央から水平方向に張り出した水平部７０４と、水平部７０４の端部に形成されて給水チューブ６００を挿通させる挿通孔７０５ａを有する給水チューブ保持部７０５と、水平部７０４の略中央から垂下されて本体部７０２の下部と対向する挟持部７０３と、から構成されている。
【０１６２】
このような構成のホルダ部材７００によれば、図１８を参照して説明したように、給水チューブ保持部７０５の挿通孔７０５ａに給水チューブ６００を挿通させ、本体部７０２の下部と挟持部７０３との間の隙間にコップ８００の縁８００ａを挟持させて、給水チューブ６００を保持することができる。
【０１６３】
［収納具の構成例］
図２０を参照して、本実施の形態に係る口腔洗浄装置Ｗの収納具８５０の構成例について説明する。
【０１６４】
図１等に示す状態からノズル部３を外した本実施の形態に係る口腔洗浄装置Ｗは、体積が抑えられ、コンパクト化が図られている。
【０１６５】
即ち、ハンドル部２は、小型化された本体ユニット１に係止させて収納され、吐水チューブ２００は突出部１１の外周に巻回して収容されているので、外部に出っ張る部分が無く、全体としてコンパクトに纏められている。
【０１６６】
そのため、比較的容積が小さな収納具８５０に収容することが可能である。
【０１６７】
収納具８５０の形態やデザインは特には限定されないが、例えば、ジッパー８５１で開閉される軽量の布製のポーチ型とすることができる。これにより、口腔洗浄装置Ｗおよび電源アダプタ、取り外したノズル、ホルダ部材７００を装着した給水チューブ６００等をコンパクトに収容して、容易に携帯することができる。
【０１６８】
なお、口腔洗浄装置Ｗ等を外部からの衝撃等から保護するために、硬質プラスチック等で形成したハードケースを収容具として用いるようにしてもよい。
【０１６９】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。
【０１７０】
このように、本実施の形態はここでは記載していない様々な実施の形態などを含む。
【０１７１】
例えば、モータＭの電源として、ＡＣアダプタに代えて、乾電池や充電池を本体ユニット１に搭載するようにしてもよい。
【産業上の利用可能性】
【０１７２】
本実施の形態の口腔洗浄装置は、歯ブラシによる歯磨き後の口腔洗浄などに適用できる。
【符号の説明】
【０１７３】
Ｗ…口腔洗浄装置
１…本体ユニット
２…ハンドル部
３…ノズル部
３ａ…流通部
３ｂ…ノズル先端部
３ｃ…装着部
４…吸盤部材
４Ａ…吸盤本体
４ａ…舌片
４ｂ…突起部
４ｃ…軸部
１０…筐体
１０ａ…下部筐体
１０ｂ…上部筐体
１１，１２…突出部
１３…調整ダイヤル
１４…接続部
１４ａ…プラグ
１４ｂ…回転軸
１５…ソケット部
１６、１７…ネジ
２０ａ…上部筐体
２０ｂ…下部筐体
２０ｃ…装着孔
２１…操作レバー
２１ａ…操作用突起部
２２…係止具
２２ａ…係止片
２２ｂ…取付部
２５…固定ボタン
２７…係合部
３０…調整つまみ
１００…保持部
１０１…脚部
１０２…嵌合溝
２００…吐水チューブ
３００…シリンダ部材
３００ａ…給水部
３００ｂ…シリンダ部
３００ｃ…吐出部
３００ｄ…補強用リブ
３０２…プランジャ部材
３０３…クランク部材
３０３ａ…大端部
３０３ｂ…ロッド部
３０３ｃ…小端部
３０４…ロッドピン
３０５…Ｏリング
３０６…給水部材
３０６ａ…給水プラグ
３０６ｂ、３０６ｃ…係止部
３０６ｄ…補強用リブ
３０７…バルブアジャスタ部材
３０７ａ…突起部
３０７ｂ…回動軸
３０８…カム部材（カム状の調節部材）
３０８ａ…接合部
３０９…Ｏリング
３１０…カバー部材
３５０…回転軸
３５５…円筒部
３５６…偏心円筒部
３７１…流通孔
３７２…還流孔
４００…送水部材
４０１…バネ
４０２…係止片
４５０…送水部
５００…収容部
５０１…プラグ部
５０２…球状の弁体
５０２ａ…流通部
５０２ｂ…挿通孔
５０３…Ｏリング
５０４…軸受部
５５０…モータ支持台
６００…給水チューブ
７００…ホルダ部材
７０２…本体部
７０３…挟持部
７０４…水平部
７０５…給水チューブ保持部
７０５ａ…挿通孔
Ｂ…ボールバルブ
Ｃ…コネクタ部
Ｃ１…第１の制御機構
Ｃ２…第２の制御機構（バルブ調整機構）
Ｅ…着脱機構
Ｇ…ギアカム（歯車伝達機構）
Ｍ…モータ
Ｐ１…ポンプ
【図１】
2017029367.tif 000003
【図２】
2017029367.tif 000004
【図３】
2017029367.tif 000005
【図４】
2017029367.tif 000006
【図５】
2017029367.tif 000007
【図６】
2017029367.tif 000008
【図７】
2017029367.tif 000009
【図８】
2017029367.tif 000010
【図９】
2017029367.tif 000011
【図１０】
2017029367.tif 000012
【図１１】
2017029367.tif 000013
【図１２】
2017029367.tif 000014
【図１３】
2017029367.tif 000015
【図１４】
2017029367.tif 000016
【図１５】
2017029367.tif 000017
【図１６】
2017029367.tif 000018
【図１７】
2017029367.tif 000019
【図１８】
2017029367.tif 000020
【図１９】
2017029367.tif 000021
【図２０】
2017029367.tif 000022
【図２１】
2017029367.tif 000023
【図２２】
2017029367.tif 000024
【図２３】
2017029367.tif 000025
【図２４】
2017029367.tif 000026